(57)【要約】【課題】省スペースで且つ高効率な音声の再生を可能とするシステムを提供する。【解決手段】本発明に係る家具１は、１つ又は複数の脚３を備えている。脚３の少なくとも１つは、脚３の内部に設けられた空洞１０と、空洞１０の内部に位置しているか又は空洞１０の内部に向けられたスピーカ２０と、空洞１０と脚３の外部とを繋ぐ少なくとも１つの孔３０とを備えている。【選択図】図２
2014064674.tif 000002
【特許請求の範囲】
【請求項１】
１つ又は複数の脚を備えた家具であって、前記脚の少なくとも１つは、前記脚の内部に設けられた空洞と、前記空洞の内部に位置しているか又は前記空洞の内部に向けられたスピーカと、前記空洞と前記脚の外部とを繋ぐ少なくとも１つの孔とを備えている家具。
【請求項２】
前記家具はテーブル又は机である請求項1に記載の家具。
【請求項３】
前記家具は音声再生機器からの音声情報を受信可能な構成を備えている請求項1又は２に記載の家具。
【請求項４】
前記音声再生機器を支持するための溝又はホルダを更に備えている請求項３に記載の家具。
【請求項５】
前記空洞は前記脚の長さ方向に沿って延びた形状である請求項１乃至４の何れか１項に記載の家具。
【請求項６】
前記スピーカは前記空洞の一方の端に位置しているか又は前記空洞の前記一方の端に向けられており、前記孔は前記空洞の他方の端に設けられている請求項５に記載の家具。
【請求項７】
前記空洞は前記一方の端から前記他方の端に向けて径が単調に増加する形状を有している請求項６に記載の家具。
【請求項８】
前記孔は、前記家具の利用者の位置に向けてより多く設けられている請求項１乃至７の何れか１項に記載の家具。
【請求項９】
前記孔は前記脚の底部に設けられ且つ前記家具の設置時に前記底部が床から離間するように構成されている請求項１乃至８の何れか1項に記載の家具。
【発明の詳細な説明】
【技術分野】
【０００１】
本発明は家具に関する。
【背景技術】
【０００２】
近年、パーソナルコンピュータ、ポータブル音楽プレーヤ、スマートフォン、及びタブレット端末などの普及が進んでいる。これらの機器は、音楽や動画を再生することができる。
【０００３】
しかしながら、これらの機器を用いて音楽や動画を再生する場合、音量や音質が不充分であることが多い。そのため、音量や音質を向上させるためには、スピーカを別途準備する必要がある。
【０００４】
ところが、このようなスピーカを設置するためには、大きな空きスペースが必要である。特に、テーブル又は机の上にスピーカを設置する場合、作業スペースの減少及び美観の悪化が生じ易い。また、このようなスピーカは、低音の再現が不充分であることが多い。その場合、サブウーファ等が用いられるが、これには更に大きな空きスペースが必要である。
【先行技術文献】
【特許文献】
【０００５】
【特許文献１】特開２００８−０８５６４５号公報
【特許文献２】特開２００８−０４２５０７号公報
【特許文献３】特開２００７−１５８７５２号公報
【特許文献４】特開２００７−０２５４１５号公報
【特許文献５】特開２００５−３１８９９３号公報
【特許文献６】特開２００２−２４０６４３号公報
【発明の概要】
【発明が解決しようとする課題】
【０００６】
本発明の目的は、省スペースで且つ高効率な音声の再生を可能とするシステムを提供することにある。
【課題を解決するための手段】
【０００７】
本発明の一側面によると、１つ又は複数の脚を備えた家具であって、前記脚の少なくとも１つは、前記脚の内部に設けられた空洞と、前記空洞の内部に位置しているか又は前記空洞の内部に向けられたスピーカと、前記空洞と前記脚の外部とを繋ぐ少なくとも１つの孔とを備えている家具が提供される。
【発明の効果】
【０００８】
本発明によると、省スペースで且つ高効率な音声の再生を可能とするシステムを提供することが可能となる。
【図面の簡単な説明】
【０００９】
【図１】本発明の一態様に係る家具を示す斜視図。
【図２】図１に示す家具の脚の構造の一例を示す拡大図。
【図３】図１に示す家具の脚の構造の他の例を示す拡大図。
【図４】図１に示す家具の使用例を示す斜視図。
【図５】本発明の他の態様に係る家具を示す斜視図。
【図６】本発明の他の態様に係る家具を示す斜視図。
【図７】図６に示す家具の脚の構造の一例を示す拡大図。
【図８】図６に示す家具の底部を示す斜視図。
【図９】図６に示す家具の底部を示す模式図。
【発明を実施するための形態】
【００１０】
以下、本発明の実施態様について図面を参照しながら説明する。その際、共通する構成要素には共通の符号を付し、重複する説明は省略する。
【００１１】
図１は、本発明の一態様に係る家具を示す斜視図である。図１には、家具１の一例として、テーブルを描いている。  
【００１２】
家具１は、天板２と、それを支持する脚３とを備えている。後述するように、脚３は、内部にスピーカを含んでいる。また、脚３には、複数の孔３０が設けられている。
【００１３】
図２は、図１に示す家具の脚の構造の一例を示す拡大図である。図２に示す脚３は円柱状であり且つ中空構造を有している。即ち、脚３は、内部に空洞１０を有している。図２に示す例では、空洞１０は、脚３の長さ方向に沿って延びた円柱状である。即ち、この例では、空洞１０の径は、脚３の長さ方向に沿って一定である。
【００１４】
空洞１０の一方の端には、スピーカ２０が設置されている。スピーカ２０は、後述する音声再生機器（図示せず）に接続されている。スピーカ２０は、この音声再生装置からの音声をより高い音質及び音量で再生する役割を担っている。
【００１５】
空洞１０の他方の端には、空洞１０と脚３の外部とを繋ぐ複数の孔３０が設けられている。これらの孔３０は、スピーカ２０から再生される音声を家具１の使用者に伝達するために設けられている。
【００１６】
なお、ここで「端」とは、空洞１０の長さを３等分した場合の中央部を除いた部分を意味している。
【００１７】
以上の通り、家具１は、脚３の内部にスピーカ２０を備えている。即ち、家具１を用いれば、別途スピーカを準備する必要がない。そのため、省スペースで且つインテリアの美観を損ねることなしに音声を再生することが可能となる。
【００１８】
また、家具１の脚３には、空洞１０が設けられている。この空洞１０内で発せられた音波は、その壁面に遮られ、ランダムに拡散し難い。そして、この音波の大部分は、上述した孔３０を通じて外部に伝達される。そのため、このような構成を採用することで、より少ない出力でより高音量の音声を再生することが可能となる。即ち、これにより、高効率な音声の再生が可能となる。
【００１９】
図１及び図２を参照しながら説明した家具１の脚３では、空洞１０は、脚３の長さ方向に沿って延びた形状を有している。更に、この脚３では、空洞１０の一方の端にスピーカ２０が設けられ、他方の端に孔３０が設けられている。このような構成を採用すると、スピーカ２０から再生された音声が増幅され、より臨場感に優れた音声の再生が可能となる。
【００２０】
図３は、図１に示す家具の脚の構造の他の例を示す拡大図である。図３に示す脚３では、空洞１０は、一方の端から他方の端に向けて径が単調に増加する形状を有している。このような構成を採用すると、上述した音声の増幅が更に顕著となる。したがって、更に臨場感に優れた音声の再生が可能となる。
【００２１】
なお、図３に示す例では、空洞１０は、一方の端から他方の端に向けて径が単調に且つ連続的に増加する形状を有しているが、空洞１０は、一方の端から他方の端に向けて径が単調に且つ不連続的に増加する形状を有していてもよい。例えば、空洞１０は、一方の端から他方の端に向けて径が段階的に増加する形状を有していても良い。
【００２２】
ここで、空洞１０の長さ方向に垂直な断面の形状が円である場合、その「径」とは、その直径を意味する。また、空洞１０の長さ方向に垂直な断面の形状が円以外である場合、その「径」とは、上記断面と面積が等しい円の直径を意味することとする。
【００２３】
図４は、図１に示す家具の使用例を示す斜視図である。図４には、家具１と共に用いられる音声再生機器１００の例として、タブレット端末を描いている。
【００２４】
図４に示す家具１は、音声再生機器１００からの音声情報を受信可能な構成を備えている。この構成は、有線接続を可能とする構成であってもよく、無線接続を可能とする構成であってもよい。前者の場合、典型的には、家具１に、音声ケーブルの接続を可能とする接続口が設けられる。後者の場合、典型的には、家具１に、無線での情報の受信を可能とする受信機が設けられる。
【００２５】
家具１には、音声再生機器１００を支持するための溝又はホルダ（図示せず）を設けてもよい。こうすると、家具１への音声再生機器１００の設置が更に容易となる。これら溝又はホルダは、音声再生機器１００を傾斜した状態で保持できるような構成を有していてもよい。こうすると、家具１の利用者は、音声再生機器１００の画面をより容易に見ることができる。
【００２６】
図５は、本発明の他の態様に係る家具を示す斜視図である。図５に示す家具１は、脚３を４本備えていることを除いては、図１に示す家具と同様の構成を有している。図５に示す家具１では、その脚３の少なくとも１つに、スピーカ２０が内蔵されている。
【００２７】
図６は、本発明の他の態様に係る家具を示す斜視図である。図６に示す家具１は、脚３が四角柱状であることと、サブ脚３Ａ及び高さ調節器具４を備えていることと、孔３０が脚３の底部に設けられていることとを除いては、図１に示す家具と同様の構成を有している。４本のサブ脚３Ａは、脚３の下部に取り付けられている。各サブ脚３Ａの端部には、高さ調節器具４が設けられている。この高さ調節器具４により、脚３の底部を床から離間させることができる。即ち、図６に示す家具１では、孔３０は脚３の底部に設けられ、家具１の設置時に上記底部が床から離間している。
【００２８】
図７は、図６に示す家具の脚の構造の一例を示す拡大図である。図７に示すように、図６に示す家具は、四角柱状の脚３を有している。また、後述するように、孔３０（図示せず）は、脚３の底部に設けられている。
【００２９】
図８は、図６に示す家具の底部を示す斜視図である。図９は、図６に示す家具の底部を示す模式図である。図８及び図９に示すように、図６に示す家具１では、脚３の底部に複数の孔３０が設けられている。このような構成を採用すると、家具１を設置した際に、孔３０が使用者に見えない。これにより、家具１の美観に影響を与えることなしに、上述した効果を達成することが可能となる。
【００３０】
以上において説明した家具１には、種々の変形が可能である。以下、その例を非限定的に挙げる。
【００３１】
天板２及び脚３の材質及び意匠に制限はない。例えば、脚３は、円柱状であってもよく、角柱状であってもよく、切頭錐体状であってもよい。
【００３２】
脚３の本数に制限はない。スピーカ２０は、脚３の１つのみに内蔵されていてもよく、脚３の一部のみに内蔵されていてもよく、脚３の全部に内蔵されていてもよい。
【００３３】
空洞１０の形状及び大きさに制限はない。空洞１０の形状は、脚３の形状と互いに同一であってもよく、互いに異なっていてもよい。後者の場合、例えば、脚３の形状が四角柱状であり且つ空洞１０の形状が円柱状である構成を採用してもよい。
【００３４】
スピーカ２０の種類及び構成に制限はない。例えば、スピーカ２０は、ウーファ又はサブウーファであってもよい。こうすると、低音の再現が向上し、更に臨場感のある音声の再生が可能となる。  
また、スピーカ２０は、空洞１０の内部に配置されていてもよく、空洞１０に向けて配置されていてもよい。
【００３５】
孔３０の数、大きさ及び形状に制限はない。例えば、孔３０の数は、１つの脚３に対して１個であってもよく、１つの脚３に対して複数個であってもよい。また、孔３０は、脚３の周りに均一に設けられていてもよく、不均一に設けられていてもよい。後者の場合、例えば、孔３０を家具１の利用者の位置に向けてより多く設けてもよい。こうすると、家具１の利用者に、より高い効率で音声を伝達することが可能となる。
【００３６】
音声再生機器１００の種類に制限はない。例えば、音声再生機器１００は、デスクトップ型又はノート型のパーソナルコンピュータであってもよく、ポータブル音楽プレーヤであってもよく、スマートフォンであってもよい。或いは、音声再生機器１００は、電話会議用のシステムであってもよい。
【００３７】
家具１は、脚３を備えている限り、その種類に制限はない。例えば、家具１は、テーブル又は机であってもよく、椅子であってもよく、棚であってもよく、たんすであってもよい。
【００３８】
家具１の使用形態にも制限はない。家具１は、住居内で使用してもよく、公共の場所で使用してもよい。例えば、家具１は、喫茶店、レストラン、又は駅及び空港の待合室で使用してもよい。このような場合、例えば、各テーブルごとに、利用者が音楽や映像を楽しむことが可能となる。即ち、家具１は、サービス業における商業的な利用にも適している。
【実施例】
【００３９】
まず、図６に示す家具１を製作した。この家具１の脚３は、正四角柱状であり、断面の１辺の長さを８５ｍｍとし、高さを６７０ｍｍとした。脚３の内部に、断面の１辺の長さが５３ｍｍであり高さが５５０ｍｍである正四角柱状の空洞１０を設けた。この空洞１０の上端付近に、ウーファー用のスピーカ２０を配置した。また、脚３の底部に、図８及び図９に示す孔３０を設けた。中央部の円形の孔３０の直径は１４ｍｍとした。周辺部の正方形の孔３０の１辺の長さは１１ｍｍとした。また、高さ調節器具の高さは１０ｍｍとした。
【００４０】
この家具１では、天板２に、タブレット端末を支持するための溝を設け、その画面の角度を調整可能とした。この溝は、長さを２５０ｍｍとし、幅を１１ｍｍとし、深さを１２ｍｍとした。
【００４１】
家具１では、スピーカ２０が脚３に内蔵されている。即ち、この家具１を用いることにより、スピーカ２０を別途設置するためのスペースを省略することができた。また、家具１では、スピーカ２０は外部から視認できない。そのため、家具１は外見がすっきりとしており、インテリアとしての美観にも優れていた。
【００４２】
次に、家具１に音声再生機器１００としてのタブレット端末を設置した。そして、家具１を用いて、このタブレット端末からの音声を再生した。その結果、家具１を用いると、臨場感に優れた音声を高効率で再生できることが明らかとなった。
【符号の説明】
【００４３】
１…家具、２…天板、３…脚、３Ａ…サブ脚、４…高さ調整器具、１０…空洞、２０…スピーカ、３０…孔、１００…音声再生機器
【図１】
2014064674.tif 000003
【図２】
2014064674.tif 000004
【図３】
2014064674.tif 000005
【図４】
2014064674.tif 000006
【図５】
2014064674.tif 000007
【図６】
2014064674.tif 000008
【図７】
2014064674.tif 000009
【図８】
2014064674.tif 000010
【図９】
2014064674.tif 000011